(57)【特許請求の範囲】
【請求項１】
無線通信システムにおいて、データを受信する方法であって、
移動局が、１以上のＰＨＩＣＨグループを受信するステップであって、該１以上のＰＨＩＣＨグループの各々のＰＨＩＣＨグループは、１以上の多重化されたＡＣＫ／ＮＡＣＫ信号を伝達するステップと、
前記移動局が、第１の関数を用いて、前記１以上の多重化されたＡＣＫ／ＮＡＣＫ信号の１つのＡＣＫ／ＮＡＣＫ信号に対するＰＨＩＣＨグループインデックスを決定するステップと、
前記移動局が、第２の関数を用いて、前記ＡＣＫ／ＮＡＣＫ信号に対するコードインデックスを決定するステップと、
を有し、
前記第１の関数と前記第２の関数は、共通の変数を有し、
前記第１の関数は、前記共通の変数が１増加するに従い、前記ＰＨＩＣＨグループインデックスを変化させる特性を有し、
前記第２の関数は、前記共通の変数が前記１以上のＰＨＩＣＨグループの数を単位として増加するに従い、前記コードインデックスが変化する特性を有する、データ受信方法。
【請求項２】
前記共通の変数は、前記ＡＣＫ／ＮＡＣＫ信号に対応するデータブロックの送信に対し使用される１以上のアップリンク物理リソースブロック（ＰＲＢ）インデックスの１つのインデックスを有する、請求項１に記載のデータ受信方法。
【請求項３】
復調基準信号に関連するパラメータ（ｎDMRS）が、前記ＰＨＩＣＨグループインデックス及び前記コードインデックスを決定する際のオフセットとして使用される、請求項１に記載のデータ受信方法。
【請求項４】
前記第１の関数は、ｉPHICH mod Ngを有し、
前記ｉPHICHは前記共通の変数を表し、前記Ngは前記１以上のＰＨＩＣＨグループの数を表し、前記modはモジュロ演算を表す、請求項１に記載のデータ受信方法。
【請求項５】
前記第２の関数は、floor(ｉPHICH/Ng)を有し、
前記ｉPHICHは前記共通の変数を表し、前記Ngは前記１以上のＰＨＩＣＨグループの数を表し、前記floorは床関数を表す、請求項１に記載のデータ受信方法。
【請求項６】
コードインデックスは、同相（Ｉ）コード、続いて直交位相（Ｑ）コードに順番にマッピングされる、請求項１に記載のデータ受信方法。
【請求項７】
前記移動局が、前記ＰＨＩＣＨグループインデックスにより識別された前記１以上のＰＨＩＣＨグループの１つのＰＨＩＣＨグループから、前記１以上の多重化されたＡＣＫ／ＮＡＣＫ信号を読み出すステップと、
前記移動局が、前記コードインデックスにより識別された直交コード又は準直交コードを用いて、前記読み出された１以上の多重化されたＡＣＫ／ＮＡＣＫ信号を逆拡散するステップと、
を更に有する、請求項１に記載のデータ受信方法。
【請求項８】
前記１以上のＰＨＩＣＨグループの数は、１より大きい、請求項１に記載のデータ受信方法。
【請求項９】
前記ＰＨＩＣＨグループインデックスは、前記１以上のＰＨＩＣＨグループの中から前記移動局に割当てられた１つのＰＨＩＣＨグループを識別する、請求項１に記載のデータ受信方法。
【請求項１０】
前記コードインデックスは、前記ＡＣＫ／ＮＡＣＫ信号の多重化において使用される直交コード又は準直交コードを識別する、請求項１に記載のデータ受信方法。
【発明の詳細な説明】
【技術分野】
【０００１】
本発明は、セルラーＯＦＤＭ無線パケット通信システムにおいてダウンリンクで伝送される信号の周波数及びＯＦＤＭシンボル領域に対するリソース割当及びインデクシング方法に関するものである。
【背景技術】
【０００２】
移動通信システムにおいてパケットを伝送する際に、受信機は、パケット受信の成否を送信機に知らせなければならない。パケット受信に成功した場合には、ＡＣＫを伝送し、送信機が新しいパケットを送信するようにし、失敗した場合には、ＮＡＣＫを伝送し、送信機が該当のパケットを再伝送するようにする。このような動作をＡＲＱ（automatic request）という。さらには、ＡＲＱ動作をチャネルコーディング（channel coding）手法と結合したＨＡＲＱ（hybrid ARQ）が提案されている。ＨＡＲＱでは、再伝送されるパケットを既に受信したパケットと結合することによって誤り率（Error Rate）を低減し、全体システムの効率を向上させることができる。
【０００３】
ＨＡＲＱにおいてシステムの処理能力（throughput）を高めるためには、既存のＡＲＱ動作に比べて 受信機からの迅速なＡＣＫ／ＮＡＣＫ応答が必要とされる。そこで、ＨＡＲＱにおいてＡＣＫ／ＮＡＣＫは物理チャネルシグナリング方式で伝送される。ＨＡＲＱの具現方法は２種類に大別される。その一つはチェイス合成法（Chase Combining; CC）であり、再伝送する時に、既に伝送したパケットと同じ変調方式とコーディングレートを用いるようにする手法である。もう一つは増加冗長性（Incremental Redundancy; IR）であり、再伝送する時に、既に伝送したパケットと異なる変調方式とコーディングレートを用いるようにする手法である。この時、受信機ではコーディングダイバーシティ（coding diversity）を通じてシステムの性能を高めることができる。
【０００４】
多重搬送波セルラー移動通信システムにおいて、一つあるいは複数のセルに属する移動局が基地局へアップリンクデータパケット伝送を行う。１サブフレーム内に複数の移動局がアップリンクデータパケットを伝送できるので、基地局も、１サブフレーム内に複数の移動局にＡＣＫ／ＮＡＣＫ信号を伝送できるようにしなければならない。基地局が１サブフレーム内に移動局に伝送する複数のＡＣＫ／ＮＡＣＫ信号を、多重搬送波システムのダウンリンク伝送帯域の一部の時間−周波数領域内でＣＤＭＡ方式でマルチプレクシング（multiplexing）する場合を取り上げる。この場合、異なる移動局へのＡＣＫ／ＮＡＣＫ信号は、時間−周波数領域を通じて乗じられる直交符号または準直交符号により区別される。また、ＱＰＳＫ伝送を行う場合には、ＡＣＫ／ＮＡＣＫ信号は、異なる直交位相（phase）成分によって区別されることもできる。
【０００５】
従来の技術において１サブフレーム内に複数のＡＣＫ／ＮＡＣＫ信号を伝送すべく各ＡＣＫ／ＮＡＣＫ信号をＣＤＭＡ方式でマルチプレクシングして送信する場合、ＣＤＭＡマルチプレクシングされた異なるＡＣＫ／ＮＡＣＫ信号間の直交性を保持するには、ＡＣＫ／ＮＡＣＫ信号が伝送される時間−周波数領域におけるダウンリンク無線チャネル応答特性が大きく変わってはいけない。この場合では、受信端でチャネル等化器のような特別な受信アルゴリズムを適用せずとも、受信機は、満足すべき受信性能を得ることができる。したがって、ＡＣＫ／ＮＡＣＫ信号のＣＤＭＡマルチプレクシングは、無線チャネル応答が大きく変わらない時間−周波数領域内で行われなければならない。しかし、ＡＣＫ／ＮＡＣＫ信号が伝送される時間−周波数領域のある移動局に対する無線チャネル品質が悪い場合、該移動局のＡＣＫ／ＮＡＣＫ受信性能も大幅に低下することがある。そこで、１サブフレーム内に任意の移動局に伝送されるＡＣＫ／ＮＡＣＫ信号は、複数の時間−周波数軸において離間した時間−周波数領域にわたって繰り返し伝送される。また、当該ＡＣＫ／ＮＡＣＫ信号は各時間−周波数領域で他の移動局に伝送されるＡＣＫ／ＮＡＣＫ信号とＣＤＭＡ方式で多重化されるから、受信端ではＡＣＫ／ＮＡＣＫ信号受信において時間−周波数ダイバーシティ利得を得ることができる。
【０００６】
ＯＦＤＭ無線パケット通信システムのダウンリンクにおいて、４つの送信アンテナを用いて送信アンテナダイバーシティを得る方法がある。２つの隣接した副搬送波を通じて伝送される２つの変調信号は、ＳＦＢＣ（space frequency block coding）を適用することによって２つのアンテナを通じて伝送され、ＳＦＢＣコード化される２つの副搬送波対は、ＦＳＴＤ（frequency switching transmit diversity）を適用することによってそれぞれ異なる２つのアンテナ対を通じて伝送され、これによって４のダイバーシティ次数を得る。
【０００７】
このダイバーシティ方法の動作例を、図１に示す。
【０００８】
図１で、一つの小さいボックスは、一つのアンテナで伝送される一つの副搬送波を表し、ｆ1(ｘ)、ｆ2(ｘ)、ｆ3(ｘ)、ｆ4(ｘ)は、二つの信号を二つのアンテナを通じて同時に伝送しながら受信端で２つの信号間の直交性を維持するために適用される任意のＳＦＢＣ関数を表す。ＳＦＢＣの関数の例を、式１で示す。
【０００９】
【数１】
0005540131.tif 000002
【００１０】
式１において、＊は共役（conjugate）であり、特定複素数に対する共役複素数を表す。
【００１１】
図１でａ、ｂ、ｃ、ｄはそれぞれ、互いに異なる信号に変調された変調シンボルを意味する。特に、図１のようにダウンリンクで伝送される任意のＯＦＤＭシンボル内でＳＦＢＣとＦＳＴＤが伝送される構造を反復することによって、受信端で同じＳＦＢＣ復調及びＦＳＴＤ復調を反復する簡単な受信アルゴリズムを適用できるようにする。変調シンボル対（ａ，ｂ）、（ｃ，ｄ）、（ｅ，ｆ）、（ｇ，ｈ）はそれぞれ、ＳＦＢＣによってコード化される。実際には、ＳＦＢＣ／ＦＳＴＤが適用される副搬送波が必ずしも周波数領域で連続する必要はない。例えば、パイロット信号が伝送される副搬送波が、ＳＦＢＣ／ＦＳＴＤが適用される副搬送波の間に存在することができる。ただし、ＳＦＢＣによってコード化される対をなす２つの搬送波は、できるだけ周波数領域で隣接すると良いが、こうすると、一つのアンテナが２つの副搬送波に対して経る無線チャネル環境が類似し、受信端でＳＦＢＣ復調を行う際に両信号間の干渉を最小化できるためである。
【００１２】
上記例のように、４つの送信アンテナを使用するＳＦＢＣ／ＦＳＴＤアンテナダイバーシティ送信方式を４つの副搬送波単位に適用する場合、４のダイバーシティ次数を得るシステム構造を簡易に具現できる。
【００１３】
一方、ＯＦＤＭダウンリンクで一つの信号を（準）直交符号を通じて複数の副搬送波に拡散させる方式で複数の信号をＣＤＭして伝送することができる。例えば、異なる信号ａとｂを伝送しようとする時に、両信号を拡散率（Spreading Factor; SF）２で拡散してＣＤＭ伝送するには、信号ａ及びｂは、（ｃ11，ｃ21）及び（ｃ12，ｃ22）という２つのチップ長の（準）直交拡散符号を用いてそれぞれ信号列（ａ・ｃ11，ａ・ｃ21）と（ｂ・ｃ12，ｂ・ｃ22）に変換される。拡散された信号列は、２つの副搬送波にそれぞれ加えられて、（ａ・ｃ11＋ｂ・ｃ12）及び（ａ・ｃ21＋ｂ・ｃ22）として変調される。以下では、記述の便宜上、信号ａをＳＦ＝Ｎで拡散した信号列をａ1、ａ2、…ａNで示す。
【００１４】
複数の副搬送波にわたって拡散された信号を受信端で逆拡散して復調するには、受信した拡散信号列の各チップは、類似の無線チャネル応答を経るべきである。この時、例えば、４の拡散率で拡散された４つの異なる信号ａ、ｂ、ｃ、ｄが、一つのＯＦＤＭシンボルの４つの副搬送波を通じてＳＦＢＣ／ＦＳＴＤ方式で伝送される場合、各副搬送波における受信信号は式２の通りである。
【００１５】
【数２】
0005540131.tif 000003
【００１６】
上記の例で、ｈiはｉ番目のアンテナが経るフェーディングを表し、同一アンテナの副搬送波はいずれも同一フェーディングを経るとし、受信端に加えられる雑音成分は無視する。また、受信アンテナは１個とする。
【００１７】
この場合、ＳＦＢＣ、ＦＳＴＤ復調を経た後に受信端に得られる拡散列は、式３の通りである。
【００１８】
【数３】
0005540131.tif 000004
【００１９】
【数４】
0005540131.tif 000005
【発明の概要】
【発明が解決しようとする課題】
【００２０】
本発明が解決しようとする技術的課題は、ＰＨＩＣＨ伝送のためにリソースを效率的に割り当て、拡散率によらずに伝送構造を維持させることができる物理指示チャネル割当方法を提供することである。
【課題を解決するための手段】
【００２１】
上記の技術的課題を解決するために、本発明の一実施例による物理指示チャネル割当方法は、巡回プリフィクスタイプ及び拡散率によってＣＤＭグループを割り当て、該割り当てられたＣＤＭグループに物理ハイブリッドＡＲＱ指示チャネル（ＰＨＩＣＨ）を割り当てる過程を含む。ここで、ＰＨＩＣＨは、ＣＤＭ方式で多重化された受信確認（ＡＣＫ／ＮＡＣＫ）信号を含む。
【００２２】
ＣＤＭグループを割り当てる過程において、拡散率とＣＤＭグループの個数との積が一定の値になるようにＣＤＭグループを割り当てることができる。
【００２３】
ＣＤＭを割り当てる過程において、２つの拡散率が存在するとき、ＧM＝ＧN＊(Ｎ／Ｍ)（拡散率がＮのときのＣＤＭグループの個数をＧNとし、拡散率がＭのときのＣＤＭグループの個数をＧMとする。）を満たすようにＣＤＭグループの個数を決定することができる。
【００２４】
ＣＤＭを割り当てる過程において、２つの拡散率が存在するとき、ＧM＝ＧN＊ｃｅｉｌ(Ｎ／Ｍ)（拡散率がＮのときのＣＤＭグループの個数をＧNとし、拡散率がＭのときのＣＤＭグループの個数をＧMとする。）を満たすようにＣＤＭグループの個数を決定することができる。
【００２５】
ＰＨＩＣＨを割り当てる過程において、受信確認信号のインデックスにグループインデックスを優先的に割り当てることができる。
【００２６】
ＰＨＩＣＨを割り当てる過程において、ＡＣＫまたはＮＡＣＫ信号をＩチャネルまたはＱチャネルのいずれか一方にのみマッピングすることができる。この場合、各ＡＣＫ／ＮＡＣＫ信号のＣＤＭグループインデックスを、gPHICH＝iPHICH mod Ngにより決定し、各グループ内におけるマルチプレクシングのためのＣＤＭコードインデックスを、cPHICH,g =（floor(iPHICH/Ng)）（ＮgをＡＣＫ／ＮＡＣＫ信号伝送のためのＣＤＭグループ個数とし、ｉPHICHをＡＣＫ／ＮＡＣＫ信号のインデックスとする。）により決定することができる。
【００２７】
ＰＨＩＣＨを割り当てる過程において、ＡＣＫまたはＮＡＣＫ信号をＩチャネル及びＱチャネルにマッピングできる。この場合、各ＡＣＫ／ＮＡＣＫ信号のＣＤＭグループインデックスをgPHICH = iPHICH mod Ngにより決定し、各グループ内におけるマルチプレクシングのためのＣＤＭコードインデックスを、cPHICH,g = （floor(iPHICH/Ng)） mod SF（ＮgをＡＣＫ／ＮＡＣＫ信号伝送のためのＣＤＭグループ個数とし、ｉPHICHをＡＣＫ／ＮＡＣＫ信号のインデックスとし、ＳＦを拡散率とする。）により決定することができる。
【００２８】
好ましくは、上述の方法において、ＣＤＭグループは、物理ハイブリッド自動再送要求指示チャネル（physical hybrid automatic repeat request; PHICH）グループでありうる。
【発明の効果】
【００２９】
本発明の実施例によると、ＰＨＩＣＨ伝送のためにリソースを效率的に割り当てる他、拡散率によらずに伝送構造を維持させることが可能になる。
【図面の簡単な説明】
【００３０】
本発明の理解を助けるために詳細な説明の一部として含まれる添付の図面は、本発明の実施例を提供し、詳細な説明と共に本発明の技術的思想を説明する。
【図１】送信アンテナダイバーシティ方法の動作例を示す図である。
【図２】４の拡散率で拡散された４つの異なる信号の例を示す図である。
【図３】本発明に適用されるアンテナダイバーシティ方法の例を示す図である。
【図４】４個の副搬送波に２の拡散率でＣＤＭマルチプレクシングされる信号の拡散列を、それぞれ２個の副搬送波を通じて伝送する例を示す図である。
【図５】図４の方式を、２つの送信アンテナを通じてＳＦＢＣ方式で伝送する場合に適用した例である。
【図６】ＣＤＭマルチプレクシングされた信号を、一つの送信アンテナのみを通じて伝送する場合を示す図である。
【図７】拡散率によって必要なＣＤＭグループの個数が異なる時に生じる問題を示す図である。
【図８】２の拡散率の場合におけるリソース要素の浪費を示す例である。
【図９】本発明の一実施例によるチャネル割当方法を例示する図である。
【図１０】本発明の他の実施例によるチャネルマッピング方法を例示する図である。
【図１１】本発明のさらに別の実施例によるグループインデックスの割当方法を例示する図である。
【図１２】本発明のさらに別の実施例によるグループインデックスの割当方法を例示する図である。
【発明を実施するための形態】
【００３１】
以下、添付の図面を参照しつつ、本発明の好適な実施例について説明する。ただし、下記する本発明の実施例は様々な他の形態に変形可能であり、本発明の範囲が以下に詳述する実施例に限定されることはない。
【００３２】
以下では、４アンテナ送信ダイバーシティとしてＳＦＢＣ／ＦＳＴＤ方式を適用するシステムにおいて、ＳＦ＝ＮによりＮ個の副搬送波にＣＤＭマルチプレクシングされる信号の拡散列を、ＳＦＢＣコード化されるアンテナ対を通じてのみ伝送する方式を提案する。
【００３３】
図３に、本発明に適用されるアンテナダイバーシティ方法の例を示す。
【００３４】
図３で、アンテナ対（１，３）と（２，４）はそれぞれＳＦＢＣ方式で信号が伝送されるアンテナ対であり、２つのアンテナ対の間にはＦＳＴＤ方式が適用され、伝送しようとするデータが一つのＯＦＤＭシンボルで伝送されるとすれば、４の拡散率（正常巡回プリフィクス（Normal Cyclic Prefix）の場合）で拡散される信号は、ＳＦＢＣコード化されるアンテナ対を通じて一つのＯＦＤＭシンボルの隣接した４個の副搬送波を通じて伝送される。また、同一信号を周波数軸でダイバーシティを得るために繰り返すことができ、この場合、図３のように、以前に使われたＳＦＢＣアンテナ対と異ならせることによって、４のアンテナダイバーシティ次数を得ることができる。特に、Ｎ個の副搬送波にＣＤＭマルチプレクシングされる信号の拡散率は、必ずしもＮになる必要はなく、Ｎより小さいいずれの数（Ｍ）も適用可能である。
【００３５】
図４は、４個の副搬送波に２の拡散率（拡張巡回プリフィクス（Extended Cyclic Prefix）の場合）でＣＤＭマルチプレクシングされる信号の拡散列をそれぞれ２個の副搬送波を通じて伝送する例を示す。
【００３６】
図３と同様に、隣接した４個の副搬送波単位でＳＦＢＣ／ＦＳＴＤ伝送方式が適用される。図４では、副搬送波を通じて伝送されるデータは４の拡散率ではなく２の拡散率で拡散され、ＣＤＭマルチプレクシングされた信号が２個の副搬送波単位でそれぞれ伝送される例を示す。図４に示す方法は、Ｍ≦Ｎを満たす任意のＭ、Ｎの場合においても適用可能である。特に、２個の送信アンテナを用いてＳＦＢＣ方式で拡散列を伝送する場合と１個の送信アンテナを用いて拡散列をする場合にも適用可能である。
【００３７】
図５ａ及び図５ｂは、図４の方式を、２つの送信アンテナを通じてＳＦＢＣ方式で伝送する場合に適用した例である。
【００３８】
図５ａは、４個の副搬送波に４の拡散率でＣＤＭマルチプレクシングされる信号の拡散列が４個の副搬送波を通じて伝送される方式を示す。図５ｂは、４個の副搬送波に２の拡散率２でＣＤＭマルチプレクシングされる信号の拡散列が２個の副搬送波を通じて伝送される方式を示す。図５ｂでは、図５ａと同様に、隣接した４個の副搬送波単位でＳＦＢＣ伝送方式が適用される。また、副搬送波を通じて伝送されるデータは、４の拡散率ではなく２の拡散率で拡散され、ＣＤＭマルチプレクシングされた信号が２個の副搬送波単位でそれぞれ伝送される。送信アンテナが１である場合にも上記の方式を適用することができる。
【００３９】
図６ａ及び図６ｂは、一つの送信アンテナのみを用いて、ＣＤＭマルチプレクシングされた信号を伝送する場合を示す。
【００４０】
図６ａ及び図６ｂに示す基本的な方式は、図４、図５ａ及び図５ｂで説明した通りである。図５ａ、図５ｂ及び図６ａ、図６ｂは、本発明の一実施例に過ぎず、それ以外にもＭ≦Ｎを満たす任意のＭ、Ｎの場合においても適用可能である。特に、上記方式を１個、２個あるいは４個の送信アンテナを選択的に使用できるシステムに適用すると、任意のＣＤＭ信号、あるいはＣＤＭ信号グループを、同じＮ個（特に４個）の副搬送波単位で一定の構造に割り当てることができる。例えば、説明したアンテナの個数の他にも、任意のアンテナ個数を使用するシステムにも適用可能である。
【００４１】
アップリンクで伝送されるデータに対して受信成否を知らせるためにダウンリンクで伝送されるＡＣＫ／ＮＡＣＫ信号に、上述したＣＤＭマルチプレクシング及び送信アンテナダイバーシティを得るためのマッピングを適用することができる。しかし、ＡＣＫ／ＮＡＣＫ伝送に上述の方式を使用するにあたり、ＣＤＭマルチプレクシングされた信号の拡散率が複数個存在する場合、ＣＤＭマルチプレクシングされた信号のためのリソースの割当に問題が生じうる。
【００４２】
一つのＡＣＫ／ＮＡＣＫ信号がＩチャネルとＱチャネルにそれぞれマッピングされた後、複素（complex）値に変調されたシンボルが４の拡散率で拡散されてＣＤＭマルチプレクシングされる場合、ＣＤＭグループ当たり８個のＡＣＫ／ＮＡＣＫ情報を伝送することができる。しかし、２の拡散率で拡散される場合は、ＣＤＭグループ当たり４個のＡＣＫ／ＮＡＣＫ情報を伝送するようになる。このように、拡散率によって各ＣＤＭグループで伝送可能なＡＣＫ／ＮＡＣＫ情報の個数が異なってくるので、一定のＡＣＫ／ＮＡＣＫ信号を伝送する場合であっても、拡散率によって必要なＣＤＭグループの個数が変更されることがである。例えば、伝送すべきＡＣＫ／ＮＡＣＫの個数が１２個であるとすれば、４の拡散率の場合、必要なＣＤＭグループの個数はｃｅｉｌ(１２／８)＝２個となるが、２の拡散率の場合は、ｃｅｉｌ(１２／４)＝３個となる。ここで、‘ｃｅｉｌ’は端数処理（ceiling operation）を意味する。
【００４３】
このように、拡散率によって必要なＣＤＭグループの個数が異なる場合は、拡散率にかかわらずに同一構造を使用する方式を適用することが困難である。
【００４４】
図７ａ及び図７ｂには、拡散率によって必要なＣＤＭグループの個数が異なる時に生じる問題を示す。
【００４５】
図７ａ及び図７ｂにおいて、それぞれの小さいボックスは、一つのＯＦＤＭシンボルと一つの副搬送波とからなるリソース要素（RE: resource element）を表す。そして、ＡijはＣＤＭ方式で多重化されたＡＣＫ／ＮＡＣＫ信号を表す。そして、ｉは、拡散された後に多重化された信号のインデックスを表し、ｊは、このように多重化されたＡＣＫ／ＮＡＣＫ信号のＣＤＭグループインデックスを表す。上述したように、４の拡散率では、１２個のＡＣＫ／ＮＡＣＫ信号を伝送するために２個のＣＤＭグループが必要とされ、２の拡散率では、３個のＣＤＭグループが必要とされ、拡散率にかかわらずに同一構造で伝送する場合、図７ｂのように４個のリソース要素単位で割り当てる構造では、信号が割り当てられないリソース要素が発生することになる。すなわち、この場合、信号の伝送に使用できるリソース要素が浪費されるとともに、拡散率によらずに同じ伝送構造を維持することも困難である。
【００４６】
図８は、２の拡散率の場合におけるリソース要素の浪費を示す例である。
【００４７】
このような問題を解決するために、以下では、拡散率が変化する場合、大きい拡散率におけるＣＤＭグループの個数に拡散率の変化率を乗じてＣＤＭグループを定め、これにより、拡散率の変化によらずに常に同じ構造に維持させうる方式を提案する。例えば、拡散率が４から２に減少した場合、１２個のＡＣＫ／ＮＡＣＫを伝送する場合には、４の拡散率で２個のＣＤＭグループの個数が必要であるとすれば、２の拡散率の時は、ｃｅｉｌ(１２／４)＝３ではなく２（４の拡散率におけるＣＤＭグループ個数）＊２（＝ＳＦ４／ＳＦ２）＝４のグループを割り当てる。４の拡散率の場合と２の拡散率の場合が存在すると、２の拡散率の場合に必要なＡＣＫ／ＮＡＣＫ伝送のためのＣＤＭグループの個数は、４の拡散率の場合に必要なＣＤＭグループ個数の２倍とする。これにより、上記の図７ｂにおける問題点を解消することができる。
【００４８】
図９は、本発明の一実施例によるチャネル割当方法の例である。
【００４９】
図７ｂとは違い、図９では、３個ではなく４個のＣＤＭグループを割り当て、リソース要素の浪費を低減しながらも図７ａと同じ構造を維持することができる。以下では、２種類の拡散率が存在する場合を取り上げる。大きい拡散率値がＮの時に必要なＣＤＭグループの個数をＧNとすれば、小さいＳＦの値がＭの時のＣＤＭグループの個数ＧMは、式４で示される。
【００５０】
【数５】
0005540131.tif 000006
【００５１】
ＮがＭの倍数でないとすれば、（Ｎ／Ｍ）の代わりにｃｅｉｌ(Ｎ／Ｍ)を乗じてＧMを得ることができる。上記の例で使用した拡散率の値は、本発明の具体的な説明のために用いた一例に過ぎず、それ以外にも任意のＮ、Ｍ値を適用できる。また、拡散率の値は２種類に限定されず、２種類以上の拡散率の値が存在する場合にも適用可能である。また、ＡＣＫ／ＮＡＣＫ信号が繰り返し伝送される場合にも適用可能である。
【００５２】
以下では、各ＡＣＫ／ＮＡＣＫ信号を各ＣＤＭグループに割り当てる方式を提案する。ＡＣＫ／ＮＡＣＫ信号を割り当てるにあたり、各ＡＣＫ／ＮＡＣＫ信号インデックスにしたがってＣＤＭマルチプレクシングのための拡散コードインデックスと該当のＣＤＭグループインデックスを割り当てなければならない。ここでは、各ＡＣＫ／ＮＡＣＫ信号のインデックスが増加するにつれて優先的にＣＤＭグループインデックスを割り当てた後、特定拡散コードインデックスで全体グループインデックスの割当が完了したときに、ＣＤＭマルチプレクシングのための拡散コードインデックスを増加させる方式を提案する。グループインデックスを優先して割り当てることによってＡＣＫ／ＮＡＣＫ信号を各グループに均一に割り当てることができる。さらに、特定グループにＡＣＫ／ＮＡＣＫ信号が多く割り当てられることから他のセルに比べて大きい干渉が起こる問題を減らすことができる。この方法は、拡散率によらずに同じ構造を適用するのにより有効である。
【００５３】
ＡＣＫ／ＮＡＣＫ信号のインデクシング方式として、ＩチャネルまたはＱチャネルにのみＡＣＫ／ＮＡＣＫ信号をマッピングする場合について説明する。各ＡＣＫ／ＮＡＣＫ信号のＣＤＭグループインデックスｇPHICHと、各グループ内におけるマルチプレクシングのためのＣＤＭコードインデックスｃPHICH,gは、下記の式５により得ることができる。
【００５４】
【数６】
0005540131.tif 000007
【００５５】
ここで、ＮgはＡＣＫ／ＮＡＣＫ信号伝送のためのＣＤＭグループ個数であり、ｉPHICHはＡＣＫ／ＮＡＣＫ信号のインデックスである。上記方式は、変調シンボルのＩチャネルまたはＱチャネルにのみＡＣＫ／ＮＡＣＫ信号をマッピングして伝送する場合に、すなわち、一つの変調シンボルが一つのＡＣＫ／ＮＡＣＫ信号を伝送する場合のＡＣＫ／ＮＡＣＫ信号のためのインデクシング方式である。
【００５６】
他のＡＣＫ／ＮＡＣＫ信号のインデクシング方式として、Ｉ、ＱチャネルにそれぞれＡＣＫ／ＮＡＣＫ信号をマッピングする場合について説明する。各ＡＣＫ／ＮＡＣＫ信号のＣＤＭグループインデックスｇPHICHと各グループ内におけるマルチプレクシングのためのＣＤＭコードインデックスｃPHICH,gは、下記の式６により得ることができる。
【００５７】
【数７】
0005540131.tif 000008
【００５８】
ここで、ＮgはＡＣＫ／ＮＡＣＫ信号伝送のためのＣＤＭグループ個数であり、ｉPHICHはＡＣＫ／ＮＡＣＫ信号のインデックスであり、ＳＦは拡散率を表す。
【００５９】
したがって、本発明の他の実施例によるチャネルマッピング方法は、式５または６の方式を適用する。これを適用した例を図１０に示す。
【００６０】
上記の２つの方式によると、ＡＣＫ／ＮＡＣＫ信号のインデックスが増加するにつれてグループのインデックスが増加されながら優先して割り当てられる。この時、ＣＤＭコードインデックスは固定される。固定されたＣＤＭコードインデックスでグループのインデックスに対する割当が完了すると、ＣＤＭコードインデックスが増加した後、グループインデックスに対する割当を繰り返し行う。
【００６１】
また、変調シンボルのＩ、ＱチャネルにそれぞれＡＣＫ／ＮＡＣＫ信号がマッピングされる場合、すなわち、一つの変調シンボルに二つのＡＣＫ／ＮＡＣＫ信号がマッピングされる場合には、信号をＩチャネルに優先的にマッピングした後にＱチャネルにマッピングすることができる。ＩチャネルとＱチャネルにそれぞれ異なるＡＣＫ／ＮＡＣＫ信号がマッピングされる場合、ＩチャネルとＱチャネルとの間に干渉により性能劣化が生じうるので、このような場合はできるだけ減らす必要がある。例えば、信号をＩチャネルに優先的にマッピングする方式を適用することができる。もちろん、信号をＩチャネルではなくＱチャネルに優先的にマッピングすることもできる。
【００６２】
変調シンボルのＩ、ＱチャネルのそれぞれにＡＣＫ／ＮＡＣＫ信号をマッピングする場合に、ＡＣＫ／ＮＡＣＫのインデックスを割り当てる方式を例示する。１２個のＡＣＫ／ＮＡＣＫの信号（ｉPHICH＝０，１，２，…，１１）が存在し、２のＳＦの構造でＮgが４（ｇPHICH＝０，１，２，３）の時、各ＡＣＫ／ＮＡＣＫ信号のｇPHICH、ｃPHICH,g及びＩ、Ｑチャネルは、表１のように割り当てることができる。
【００６３】
【表１】
0005540131.tif 000009
【００６４】
ＡＣＫ／ＮＡＣＫ信号のインデックスｉPHICHによるグループインデックスｇPHICHの増加からわかるように、表１ではグループインデックスｇPHICHを優先的に割り当てていることがわかる。また、Ｉチャネルの割当が完了した後、Ｑチャネルの割当をしているということがわかる。表１のように割り当てる場合、ＡＣＫ／ＮＡＣＫ信号を各ＣＤＭグループ別に均一に割り当てることができ、ＡＣＫ／ＮＡＣＫ信号のために割り当てられたリソースをより效率的に活用することができ、Ｉ、Ｑチャネル間の干渉による問題も減らすことができる。上記の例は本発明のより正確な理解を助けるための一例に過ぎず、それ以外にもＣＤＭグループ個数、ＳＦ、ＡＣＫ／ＮＡＣＫ信号個数にかかわらずに適用可能である。
【００６５】
図１１及び１２は、本発明のさらに別の実施例によるグループインデックスの割当方式を示す図である。
【００６６】
グループインデックスを順次に増加させずに、他のパラメータを考慮して割り当てることもできる。例えば、ｎDMRSというパラメータを考慮する場合、割当方式に変化を与えることができる。図１１は、ｎDMRSが０の場合を示し、図１２は、ｎDMRSが１の場合を示す。
【００６７】
以上では図面に基づく具体的な実施例に上げて本発明を説明してきたが、これに限定されず、当該技術分野における通常の知識を有する者にとっては、本発明の範囲を逸脱しない限度内で様々な改変が可能であるということが明らかであり、よって、それらの改変も本発明の技術的保護範囲内にあると理解すべきである。したがって、本発明の真の技術的保護範囲は、添付の特許請求の範囲の技術的思想により定められるべきである。
【産業上の利用可能性】
【００６８】
本発明は、セルラーＯＦＤＭ無線パケット通信システムにおいてダウンリンクで伝送される信号の周波数及びＯＦＤＭシンボル領域に対するリソース割当及びインデクシング方法に関するもので、３ＧＰＰ ＬＴＥなどのシステムに適用することができる。
【図１】
0005540131.tif 000010
【図２】
0005540131.tif 000011
【図３】
0005540131.tif 000012
【図４】
0005540131.tif 000013
【図５】
0005540131.tif 000014
【図６】
0005540131.tif 000015
【図７】
0005540131.tif 000016
【図８】
0005540131.tif 000017
【図９】
0005540131.tif 000018
【図１０】
0005540131.tif 000019
【図１１】
0005540131.tif 000020
【図１２】
0005540131.tif 000021